(57)【特許請求の範囲】
【請求項１】
開口絞りを挟んで物体側に配置された第１の屈折光学系と、像面側に配置された第２の屈折光学系とから構成された撮像用の光学系であって、
前記第１の屈折光学系は、物体側から順に配置された、正の屈折力の第１のレンズ群と、正の屈折力の第２のレンズ群と、負の屈折力の第３のレンズ群とから構成され、
前記第２の屈折光学系は、物体側から順に配置された、正の屈折力の第４のレンズ群と、正の屈折力の第５のレンズ群と、負の屈折力の第６のレンズ群とから構成され、
無限遠から近距離へのフォーカシングに際し、前記開口絞りに対して前記第１のレンズ群、前記第３のレンズ群および前記第６のレンズ群は動かず、前記第２のレンズ群および前記第４のレンズ群が物体側へ移動する、光学系。
【請求項２】
請求項１において、
前記第２のレンズ群は第１の接合レンズを含み、前記第２のレンズ群の前記フォーカシングの際の移動量ＰＦ１と、前記第４のレンズ群の前記フォーカシングの際の移動量ＰＢ１とは以下の条件を満たす、光学系。
１＜ＰＢ１／ＰＦ１＜８
【請求項３】
請求項２において、
前記移動量ＰＦ１と、当該光学系の全長ＡＬとは以下の条件を満たす、光学系。
０．０５＜ＰＦ１／ＡＬ＜０．１５
【請求項４】
請求項２または３において、
前記第１の接合レンズは正の屈折力のレンズＬ２１と負の屈折力のレンズＬ２２とを含み、
前記レンズＬ２１の屈折率ｎｄ２１およびアッベ数νｄ２１と、前記レンズＬ２２の屈折率ｎｄ２２およびアッベ数νｄ２２とが以下の条件を満たす、光学系。
１．４５＜ｎｄ２１＜１．６５
１．６５＜ｎｄ２２＜１．８５
６５＜νｄ２１＜８５
２０＜νｄ２２＜４０
【請求項５】
請求項２ないし４のいずれかにおいて、
前記第１の接合レンズの像面側の面は像面側に凹の面であり、前記第２のレンズ群は、前記第１の接合レンズの像面側の面に最小空気間隔を設けて隣接し、物体側の面が物体側に凸の面であるレンズを含む、光学系。
【請求項６】
請求項２ないし５のいずれかにおいて、
前記移動量ＰＢ１と、当該光学系の全長ＡＬとは以下の条件を満たす、光学系。
０．１５＜ＰＢ１／ＡＬ＜０．４０
【請求項７】
請求項１ないし６のいずれかにおいて、
前記第４のレンズ群は、正の屈折力のレンズＬ４１の一枚構成である、光学系。
【請求項８】
請求項７において、
前記レンズＬ４１の屈折率ｎｄ４１およびアッベ数νｄ４１は以下の条件を満たす、光学系。
１．４０＜ｎｄ４１＜１．６０
７０＜νｄ４１＜９０
【請求項９】
請求項１ないし８のいずれかにおいて、
前記第５のレンズ群は接合レンズを含み、前記フォーカシングの際に移動する、光学系。
【請求項１０】
請求項１ないし９のいずれかにおいて、
前記第３のレンズ群は、１組の接合レンズで構成され、前記第５のレンズ群は、１組の接合レンズで構成されている、光学系。
【請求項１１】
請求項１０において、
前記第１のレンズ群は、正の屈折力のレンズの一枚構成であり、前記第６のレンズ群は、１組の接合レンズまたは負の屈折力のレンズの一枚構成である、光学系。
【請求項１２】
請求項１ないし１０のいずれかにおいて、
前記第１のレンズ群は、１枚の正の屈折力のレンズで構成され、前記第２のレンズ群は、物体側から配置された１組の接合レンズと１枚の正の屈折力のレンズで構成され、前記第３のレンズ群は１組の接合レンズで構成され、前記第４のレンズ群は１枚の正の屈折力のレンズで構成され、前記第５のレンズ群は、１組の接合レンズで構成され、前記第６のレンズ群は、１組の接合レンズまたは１枚の負の屈折力のレンズで構成されている、光学系。
【請求項１３】
請求項１ないし１２のいずれかに記載の光学系と、
前記光学系の像面側に配置された撮像素子とを有する撮像装置。
【発明の詳細な説明】
【技術分野】
【０００１】
本発明は、カメラなどの撮像装置に好適な撮像用の光学系に関するものである。
【背景技術】
【０００２】
日本国特開２０１３−１０４９９４号公報（以降では文献１）には、製品外径の拡大を抑えながら、良好な光学性能を得ることが可能な防振機能を有するインナーフォーカス式大口径望遠マクロレンズを提供することが記載されている。この文献１に開示されているマクロレンズは、防振機能を有するインナーフォーカス式大口径望遠マクロレンズであって、物体側から像面側へ順に、正の屈折力を有する第１レンズ群と、負の屈折力を有する第２レンズ群と、正の屈折力を有する第３レンズ群と、正の屈折力を有する第４レンズ群と、負の屈折力を有する第５レンズ群と、正の屈折力を有する第６レンズ群とを有し、前記第５レンズ群を光軸に対して略垂直方向に移動させることで像を移動することが可能な構成としたものである。
【発明の開示】
【０００３】
望遠のマクロレンズはシステムを構成するレンズ枚数が多く、例えば、文献１のマクロレンズでは１９枚構成であり、全長が長く、重くなり、手振れしやすく、オートフォーカス（ＡＦ）で対応するにしても、焦点調整用に動かすレンズ枚数が増えるとＡＦの負荷が大きくなり、焦点調整の対応速度が低下する要因となる。特に、近年、カメラなどの撮像装置に大型の撮像素子が採用されつつあり、それに対応したイメージサークルの大きい撮像用のレンズシステム（光学系）においては、レンズシステムが大口径化し、レンズサイズが大きくなりやすい。このため、望遠タイプのマクロレンズであって、イメージサークルが大きな光学系を、簡易な構成で、コンパクトに実現することが要望されている。
【０００４】
本発明の一態様は、開口絞りを挟んで物体側に配置された第１の屈折光学系と、像面側に配置された第２の屈折光学系とから構成された撮像用の光学系である。第１の屈折光学系は、正の屈折力の第１のレンズ群と、正の屈折力の第２のレンズ群と、負の屈折力の第３のレンズ群とを含む。第２の屈折光学系は、正の屈折力の第４のレンズ群と、正の屈折力の第５のレンズ群と、負の屈折力の第６のレンズ群とを含む。この光学系においては、無限遠から近距離へのフォーカシングに際し、開口絞りに対して第１のレンズ群、第３のレンズ群および第６のレンズ群は動かず、第２のレンズ群および第４のレンズ群が物体側へ移動する。
【０００５】
この光学系は、開口絞りを挟んで物体側および像面側に正−正−負のパワー配置を持つ望遠タイプ（テレフォトタイプ、逆レトロフォーカスタイプ）の光学系が連結された光学系であり、それぞれのテレフォトタイプの光学系に、焦点調整の際に移動する正のレンズ群を配置している。これらの正のレンズ群を、焦点調整の際に、同じ方向に移動することにより、一方の正のレンズ群により主に焦点調整を行い、他方の正のレンズ群により、一方の正のレンズ群が移動したことによる諸収差の補正を効率よく行うことができる。このため、少ない枚数のレンズで焦点調整を行い、さらに、無限遠から近距離にかけて、少ない枚数のレンズ構成で、収差を良好に補正できる光学系を提供できる。さらに、像面側の最終のレンズ群である第６のレンズ群が負のパワーになるので、像面側に負レンズを配置することにより撮像面への光束を広げてイメージサークルの大きな光学系を実現することができる。
【０００６】
この光学系の一例は、第１のレンズ群は、１枚の正の屈折力のレンズで構成され、第２のレンズ群は、物体側から配置された１組の接合レンズと１枚の正の屈折力のレンズで構成され、第３のレンズ群は１組の接合レンズで構成され、第４のレンズ群は１枚の正の屈折力のレンズで構成され、第５のレンズ群は、１組の接合レンズで構成され、第６のレンズ群は、１組の接合レンズまたは１枚の負の屈折力のレンズで構成されている、６群１０枚または１１枚構成の光学系である。
【０００７】
本発明の他の態様の１つは、上記の光学系と、光学系の像面側に配置された撮像素子とを有する撮像装置である。光学系は交換用レンズであってもよく、撮像装置は、デジタルカメラ、ビデオカメラ、ＴＶカメラ、アクションカメラを含む。大口径でコンパクトな光学系を提供できるので、撮像装置も小型化できる。
【図面の簡単な説明】
【０００８】
【図１】撮像用の光学系を含む撮像装置の各撮影距離における概要を示す図。
【図２】図１に示す光学系のレンズデータを示す図。
【図３】図１に示す光学系の各撮影距離における諸数値を示す図。
【図４】図１に示す光学系の各撮影距離における諸収差を示す図。
【図５】撮像用の異なる光学系を含む撮像装置の各撮影距離における概要を示す図。
【図６】図５に示す光学系のレンズデータを示す図。
【図７】図５に示す光学系の各撮影距離における諸数値を示す図。
【図８】図５に示す光学系の各撮影距離における諸収差を示す図。
【図９】撮像用のさらに異なる光学系を含む撮像装置の各撮影距離における概要を示す図。
【図１０】図９に示す光学系のレンズデータを示す図。
【図１１】図９に示す光学系の各撮影距離における諸数値を示す図。
【図１２】図９に示す光学系の各撮影距離における諸収差を示す図。
【図１３】撮像用のさらに異なる光学系を含む撮像装置の各撮影距離における概要を示す図。
【図１４】図１３に示す光学系のレンズデータを示す図。
【図１５】図１３に示す光学系の各撮影距離における諸数値を示す図。
【図１６】図１３に示す光学系の各撮影距離における諸収差を示す図。
【発明の実施の形態】
【０００９】
図１に、本発明に係る光学系を備えた撮像装置の一例を示している。この撮像装置（カメラ、カメラ装置）１は、光学系（撮像光学系、結像光学系、レンズシステム）１０と、光学系１０の像面側（画像側、撮像側、結像側）１２に配置された撮像素子（撮像デバイス）５とを有する。光学系１０は、開口絞り（絞り）Ｓｔを挟んで物体側１１に配置された、第１の屈折光学系Ｓ１と、像面側に配置された第２の屈折光学系Ｓ２とから構成された撮像用の光学系である。第１の屈折光学系Ｓ１は、物体側１１から順番に配置された、正の屈折力の第１のレンズ群Ｇ１と、正の屈折力の第２のレンズ群Ｇ２と、負の屈折力の第３のレンズ群Ｇ３とを含む。第２の屈折光学系Ｓ２は、物体側１１から順番に配置された、正の屈折力の第４のレンズ群Ｇ４と、正の屈折力の第５のレンズ群Ｇ５と、負の屈折力の第６のレンズ群Ｇ６とを含む。
【００１０】
この光学系１０は、望遠型、例えば、焦点距離が１２０ｍｍ前後のマクロレンズであり、無限遠から近距離へのフォーカシングに際し、開口絞りＳｔに対して第１のレンズ群Ｇ１、第３のレンズ群Ｇ３および第６のレンズ群Ｇ６は動かず、第２のレンズ群Ｇ２および第４のレンズ群Ｇ４が物体側１１へ移動するインナーフォーカス型の光学系１０である。
【００１１】
この光学系１０は、第１の屈折光学系Ｓ１は、レンズ群Ｇ１、Ｇ２およびＧ３により正−正−負のパワー配置を含み、第２の屈折光学系Ｓ２は、レンズ群Ｇ４、Ｇ５およびＧ６により正−正−負のパワー配置を含む。したがって、開口絞りＳｔを挟んで物体側１１および像面側１２に、正−正−負のパワー配置の望遠タイプ（テレフォトタイプ、逆レトロフォーカスタイプ）の光学系Ｓ１およびＳ２が連結された光学系である。さらに、それぞれのテレフォトタイプの光学系Ｓ１およびＳ２に、焦点調整の際に移動する正のレンズ群Ｇ２およびＧ４を配置し、これらの正のレンズ群Ｇ２およびＧ４を、焦点調整の際に、同じ方向、すなわち、無限遠から近距離の際に物体側１１に移動する。この構成により、一方の正のレンズ群により主に焦点調整を行い、他方の正のレンズ群により、一方の正のレンズ群が移動したことによる諸収差の補正を効率よく行うことができる。
【００１２】
このため、少ない枚数、たとえば、本例の光学系１０においてレンズ群Ｇ２は３枚構成、レンズ群Ｇ４は１枚構成で焦点調整を行うことができる。さらに、無限遠から近距離にかけて、少ない枚数のレンズ構成で、例えば、本例の光学系１０においては、望遠タイプのマクロレンズでありながら、全体が１０枚構成で収差を良好に補正でき、全長が１２０ｍｍ前後のコンパクトサイズで軽量な光学系１０を提供できる。
【００１３】
このため、軽量で手振れなどを起こしにくい望遠型のマクロレンズを提供できる。また、焦点距離変動の際に動かすレンズの枚数を抑制できるので、オートフォーカスタイプのマクロレンズにおいては、オートフォーカス機構の負荷を低減でき、感度が高く、精度のよいオートフォーカス機能付きのマクロレンズを提供できる。また、この光学系１０は、焦点距離調整の際に、第１のレンズ群Ｇ１および第６のレンズ群Ｇ６は動かず、光学系１０の全長ＡＬは固定されている。このため、マクロ撮影時にレンズ全長ＡＬが変化せずに撮影距離の調整が容易な光学系１０を提供できる。
【００１４】
さらに、像面側１２の最終の第６のレンズ群Ｇ６としては、負レンズＬ６１を配置することにより撮像面５ａへの光束１６を広げて、イメージサークルの大きな光学系１０を提供できる。本例の光学系１０においては、イメージサークルの直径は５６ｍｍである。
【００１５】
この光学系１０において、典型的には、第２の屈折光学系Ｓ２の正のパワーのレンズ群Ｇ４により主に焦点調整を行い、第１の屈折光学系Ｓ１の正のパワーのレンズ群Ｇ２により、レンズ群Ｇ４が移動したことによる諸収差の補正を行うことができる。この光学系１０においては、第２のレンズ群Ｇ２は第１の接合レンズＢ１を含み、第２のレンズ群Ｇ２のフォーカシングの際の移動量ＰＦ１と、第４のレンズ群Ｇ４のフォーカシングの際の移動量ＰＢ１とは以下の条件（１）を満たす。なお、本明細書において、レンズ群の移動方向（移動距離）は、物体側１１を正とし、第２のレンズ群Ｇ２および第４のレンズ群Ｇ４は、撮影距離が無限大から近距離にフォーカシングする際に動く正の方向、すなわち、像面側１２から物体側１１へ移動する。
１＜ＰＢ１／ＰＦ１＜８・・・（１）
第２のレンズ群Ｇ２は、主に色収差を補正するために移動し、条件（１）の下限を下回ると像面湾曲などの収差補正が過剰になり、また、第２のレンズ群Ｇ２の移動量が多すぎて光学系１０をコンパクトにすることが難しくなる。条件（１）の上限を上回ると、焦点調整の際に移動する第４のレンズ群Ｇ４の移動量ＰＢ１に対して第２のレンズ群Ｇ２の移動量ＰＦ１が小さくなりすぎて収差補正が困難になる。条件（１）の下限は、２であってもよく、上限は５であってもよい。
【００１６】
さらに、第２のレンズ群Ｇ２の移動量ＰＦ１と、光学系１０の全長ＡＬとは以下の条件（２）を満たしてもよい。
０．０５＜ＰＦ１／ＡＬ＜０．１５・・・（２）
条件（２）の下限を下回ると、第２のレンズ群Ｇ２の移動量ＰＦ１が小さくなりすぎて焦点距離変化に対する色収差の変動を補正しきれなくなり、上限を上回ると、像面湾曲などの収差補正が過剰になりすぎ、また、コンパクトな光学系１０を実現することが難しくなる。条件（２）の上限は、０．１２であってもよく、０．１０であってもよい。
【００１７】
焦点距離変動に対する色収差の変動を主に補正する第２のレンズ群Ｇ２に含まれる第１の接合レンズＢ１はバルサムレンズであって、正の屈折力のレンズＬ２１と負の屈折力のレンズＬ２２とを含み、レンズＬ２１の屈折率ｎｄ２１およびアッベ数νｄ２１と、レンズＬ２２の屈折率ｎｄ２２およびアッベ数νｄ２２とが以下の条件（３）を満たしてもよい。
１．４５＜ｎｄ２１＜１．６５
１．６５＜ｎｄ２２＜１．８５
６５＜νｄ２１＜８５
２０＜νｄ２２＜４０          ・・・（３）
条件（３）を満たす色収差を効果的に補正可能なバルサムレンズＢ１を、焦点距離移動時に移動する第２のレンズ群Ｇ２に配置することにより、焦点距離変動に対する色収差の変動を効果的に補正できる。
【００１８】
さらに、第１の接合レンズＢ１の像面側１２の面を像面側１２に凹の面とし、第２のレンズ群Ｇ２を、第１の接合レンズＢ１と、第１の接合レンズＢ１の像面側の面に最小空気間隔を設けて隣接したレンズＬ２３であって、物体側１１の面が物体側１１に凸の面であるレンズＬ２３とで構成してもよい。第２のレンズ群Ｇ２に、像面側１２に凹の接合レンズＢ１と、物体側１１に凸のレンズＬ２３との組み合わせを採用することにより、収差補正に効果的な面を短い空間に数多く配置できる。このため、フォーカス調整の際に移動するレンズ群Ｇ２を収差補正能力が高くコンパクトに構成できる。
【００１９】
また、焦点距離調整（フォーカシング）を主な目的として移動する第４のレンズ群Ｇ４の移動量ＰＢ１と、光学系１０の全長ＡＬとは以下の条件（４）を満たしてもよい。
０．１５＜ＰＢ１／ＡＬ＜０．４０・・・（４）
条件（４）の下限を下回ると、第４のレンズ群Ｇ４の移動量ＰＢ１が小さくなりすぎて焦点距離の調整範囲が狭くなりすぎる。一方、条件（４）の上限を上回ると、コンパクトな光学系１０を提供することが難しくなる。条件（３）の下限は、０．２０であってもよく、上限は０．３５であってもよい。
【００２０】
典型的には、第４のレンズ群Ｇ４は、正の屈折力のレンズＬ４１の一枚構成とすることが可能である。焦点距離調整のために移動する第４のレンズ群Ｇ４を最小構成であるレンズＬ４１の一枚構成とすることにより、光学系１０を構成するレンズ枚数を削減できるとともに、オートフォーカス機構の負荷を低減でき、焦点調整能力（感度、精度）の高い光学系１０を提供できる。
【００２１】
第４のレンズ群Ｇ４を構成するレンズＬ４１の屈折率ｎｄ４１およびアッベ数νｄ４１は以下の条件（５）を満たしてもよい。
１．４０＜ｎｄ４１＜１．６０
７０＜νｄ４１＜９０        ・・・（５）
ＥＤレンズ（特殊低分散レンズ、異常分散レンズ）を焦点距離変更用に移動する第４のレンズ群Ｇ４に配置することで、焦点距離変動に対する色収差変動を、この第４のレンズ群Ｇ４においても効果的に補正できる。
【００２２】
さらに、この光学系１０においては、第５のレンズ群Ｇ５に接合レンズＢ３を配置し、フォーカシングの際に移動するようにしてもよい。第２の屈折光学系Ｓ２に含まれる、もう１つの正の第５のレンズ群Ｇ５を焦点距離調整の際に移動することにより、マクロ倍率時の色収差の補正に第５のレンズ群Ｇ５を寄与させることができ、第２のレンズ群Ｇ２の移動量ＰＦ１が増大するのを抑制でき、いっそうコンパクトな光学系１０を提供できる。第５のレンズ群Ｇ５は、他の正のレンズ群Ｇ２およびＧ４と同様に、無限遠から近距離へのフォーカシング（マクロ倍率時）の際に、像面側１２から物体側１１へ単純に移動してもよく、逆方向（マイナス方向、物体側１１から像面側１２）に動いてもよく、移動方向が撮影距離に応じて途中で変わってもよい。
【００２３】
典型的には、この光学系１０は、第３のレンズ群Ｇ３は、１組の接合レンズＢ２で構成可能であり、第５のレンズ群Ｇ５は、１組の接合レンズＢ３で構成可能である。また、第１のレンズ群Ｇ１は、正の屈折力のレンズの一枚で構成可能であり、第６のレンズ群Ｇ６は、１組の接合レンズまたは負の屈折力のレンズの一枚で構成可能である。したがって、光学系１０を、第１のレンズ群Ｇ１が１枚、第２のレンズ群Ｇ２が３枚、第３のレンズ群Ｇ３が２枚、第４のレンズ群Ｇ４が１枚、第５のレンズ群Ｇ５が２枚、第６のレンズ群Ｇ６が１枚または２枚の、全体として１０枚または１１枚という数少ないレンズで構成可能である。
【００２４】
実施例１
図１に示した光学系１０は、開口絞り（絞り）Ｓｔを挟んで物体側１１に配置された第１の屈折光学系Ｓ１と、像面側１２に配置された第２の屈折光学系Ｓレンズ群Ｇ２とから構成されている。第１の屈折光学系Ｓ１は、光軸１５に沿って物体側１１から順番に配置された、正のパワーの第１のレンズ群Ｇ１と、正のパワーの第２のレンズ群Ｇ２と、負のパワーの第３のレンズ群Ｇ３とから構成されている。第１のレンズ群Ｇ１は、両凸の正レンズＬ１１の１枚構成で、第２のレンズ群Ｇ２は、両凸の正レンズＬ２１と両凹の負レンズＬ２２とからなるバルサムレンズ（接合レンズ）Ｂ１と、物体側１１に凸の正のメニスカスレンズＬ２３の３枚構成で、接合レンズＢ１の像面側１２の凹面にメニスカスレンズＬ２の物体側１１の面が最小空気間隔で隣接している。第３のレンズ群Ｇ２は、像面側１２に凸の正のメニスカスレンズＬ３１と両凹の負レンズＬ３２とからなるバルサムレンズ（接合レンズ）Ｂ２の２枚構成である。
【００２５】
第２の屈折光学系Ｓ２は、光軸１５に沿って物体側１１から順番に配置された、正のパワーの第４のレンズ群Ｇ４と、正のパワーの第５のレンズ群Ｇ５と、負のパワーの第６のレンズ群Ｇ６とから構成されている。第４のレンズ群Ｇ４は、両凸の正レンズＬ４１の１枚構成で、第５のレンズ群Ｇ５は、両凹の負レンズＬ５１および両凸の正レンズＬ５２とからなるバルサムレンズ（接合レンズ）Ｂ３の２枚構成である。第６のレンズ群Ｇ６は、物体側１１の面の曲率半径が像面側１２の面の曲率半径より小さな両凹の負レンズＬ６１の１枚構成である。
【００２６】
図１（ａ）は撮影距離が無限大のときのレンズ配置を示し、図１（ｂ）は像面５ａからの撮影距離が２．０ｍのときのレンズ配置を示し、図１（ｃ）は撮影距離が最小（近距離、具体的には撮像距離が像面５ａから０．４３ｍ）のときのレンズ配置を示している。以降の各実施例において示すレンズ配置も同様である。
【００２７】
図２に光学系１０を構成する各レンズのデータを示している。曲率半径（Ｒｄｙ）は物体側１１から順に並んだ各レンズの各面の曲率半径（ｍｍ）、間隔Ｔｈｉは各レンズ面の間の距離（ｍｍ）、有効径Ｈ＊２は各レンズ面の有効径（直径、ｍｍ）、屈折率ｎｄは各レンズの屈折率（ｄ線）、アッベ数νｄは各レンズのアッベ数（ｄ線）と、レンズ名と、各群の焦点距離（合成焦点距離ｍｍ）を示している。なお、この光学系１０を構成する各レンズは一例として球面レンズであるが非球面レンズが含まれていてもよい。また、各面の間隔Ｔｈｉは、撮影距離が無限大のときを示す。
【００２８】
この光学系１０においては、第２のレンズ群Ｇ２、第４のレンズ群Ｇ４および第５のレンズ群Ｇ５が撮影距離により焦点距離を調整するために移動し、他のレンズ群Ｇ１、Ｇ３、Ｇ６および絞りＳｔは移動しない。図３に、撮影距離が無限大、２．０ｍおよび０．４３ｍ（近距離）のときに変化する間隔Ｔｈｉ２、Ｔｈｉ７、Ｔｈｉ１１、Ｔｈｉ１３、Ｔｈｉ１６の値と、光学系１０の合成焦点距離（ｍｍ）と、ＦＮｏと、倍率と、撮影距離（ｍｍ）と、画角とを示している。以下に示すレンズデータにおいても同様である。
【００２９】
図４（ａ）、（ｂ）および（ｃ）に、撮影距離が無限大、中間（２．０ｍ）および近距離（０．４３ｍ）における光学系１０の球面収差、非点収差、歪曲収差を示している。球面収差は、波長４３５．８３４０ｎｍ（二点鎖線）と、波長４８６．１３３０ｎｍ（長破線）と、波長５４６．０７４０ｎｍ（実線）と、波長５８７．５６２０ｎｍ（一点鎖線）と、６５６．２７３０ｎｍ（短破線）とを示している。非点収差はタンジェンシャル光線Ｔとサジタル光線Ｓとを示している。以下に示す収差図においても同様である。
【００３０】
この光学系１０の主な性能を示す数値は以下の通りである。
イメージサークル：φ５６ｍｍ
全体のレンズ長（ＬＡ）：１１９．０７ｍｍ
焦点距離（無限大）：１２０ｍｍ
倍率（近距離）：０．５
第２のレンズ群Ｇ２の移動距離（ＰＦ１）：６．６７ｍｍ
第４のレンズ群Ｇ４の移動距離（ＰＢ１）：２７．６４ｍｍ
条件（１）（ＰＢ１／ＰＦ１）：４．１４
条件（２）（ＰＦ１／ＡＬ）：０．０５６
条件（４）（ＰＢ１／ＡＬ）：０．２３２
【００３１】
この撮像光学系１０は、焦点距離が１２０ｍｍで近距離の倍率が０．５であり、望遠タイプのマクロレンズとしての性能を備えている。この光学系１０は、絞りＳｔを挟んで前後に正−正−負のパワーが配置されたテレフォトタイプであり、全長ＬＡが一定で、焦点距離調整のために、光学系内部の正のパワーの第２のレンズ群Ｇ２、第４のレンズ群Ｇ４および第５のレンズ群Ｇ５が移動するインナーフォーカスタイプである。さらに、上述した条件（１）、（２）および（４）を満たす。また、第２のレンズ群Ｇ２の接合レンズＢ１は条件（３）を満たし、第４のレンズ群Ｇ４のレンズＬ４１は条件（５）を満たす。このため、全体を構成するレンズ枚数が１０枚という簡易な構成でありながら、望遠タイプのマクロレンズとしての性能を備え、さらに、図４に示すように、各撮影距離で各収差が良好に補正された光学系１０を提供できる。
【００３２】
また、イメージサークルがφ５６ｍｍと大きく、全長ＬＡが１２０ｍｍ以下で、最大のレンズ径が４２ｍｍ以下という、全体がコンパクトな光学系１０となっている。このため、光学系１０により軽量の望遠マクロレンズを提供でき、手振れを少なくしやすい。また、マクロ撮影時に大きく移動する第４のレンズ群Ｇ４はレンズ１枚の構成であり、付随して移動する第２のレンズ群Ｇ２は接合レンズＢ１と正レンズとの３枚構成であり、収差性能をさらにアップするために微小に移動する第５のレンズ群Ｇ５は接合レンズＢ３の１組、すなわちレンズ２枚構成である。したがって、マクロ撮影時に動かすレンズ枚数が少なく、手動であっても、ＡＦを用いる場合であっても、焦点調整が容易で、撮影距離の変動に容易に対応できる光学系１０を提供できる。
【００３３】
実施例２
図５に、異なる撮像用の光学系１０を備えたカメラ１の例を示している。この光学系１０も、実施例１の光学系（レンズシステム）と同様に望遠タイプのマクロレンズとしての性能を備えている。この光学系１０の基本的な構成は、図１に示した実施例１の光学系と共通であり、開口絞り（絞り）Ｓｔを挟んで物体側１１に正−正−負のパワーのレンズ群Ｇ１〜Ｇ３が配置され、像面側１２に正−正−負のパワーのレンズ群Ｇ４〜Ｇ６が配置され、内部の正のレンズ群Ｇ２、Ｇ４およびＧ５が焦点距離調整のために動き、インナーフォーカスタイプで全長ＬＡが一定の光学系１０である。また、この光学系１０も全体が１０枚構成という簡易な構成であり、コンパクトで軽量の望遠マクロレンズを実現している。
【００３４】
なお、第５のレンズ群Ｇ５は、撮影距離を無限遠から近距離に動かす際に、実施例１の光学系においては単純に物体側１１に移動したのに対し、この光学系１０では中間距離（撮影距離が２．０ｍ）まで像面側１２に動き、その後、近距離（撮影距離０．４３ｍ）まで物体側１１に移動し、無限遠から近距離にフォーカスする際の第５のレンズ群Ｇ５の移動量ＰＢ２は−１．０１ｍｍとなり、第２のレンズ群Ｇ２および第４のレンズ群Ｇ４とは逆に物体側１１から像面側１２に移動する。正のパワーの第５のレンズ群Ｇ５を逆方向に移動することにより、色収差などをさらに良好に補正でき、焦点距離調整のために物体側１１に移動する第４のレンズ群Ｇ４の移動量を確保することができる。したがって、第５のレンズ群Ｇ５の移動量ＰＢ２が以下の条件（６）を満たしてもよい。ただし、上述したように、像面側１２から物体側１１への移動量を正とする。
ＰＢ２＜０・・・（６）
【００３５】
図６に光学系１０を構成する各レンズのデータを示している。図７に、撮影距離が無限大、中間（２．０ｍ）および近距離（０．４３ｍ）のときの各間隔Ｔｈｉ２、Ｔｈｉ７、Ｔｈｉ１１、Ｔｈｉ１３、Ｔｈｉ１６の値と、光学系１０の諸数値とを示している。図８（ａ）、（ｂ）および（ｃ）に、撮影距離が無限大、中間（２．０ｍ）および近距離（０．４３ｍ）における光学系１０の球面収差、非点収差、歪曲収差を示している。
【００３６】
この光学系１０の主な性能を示す数値は以下の通りである。
イメージサークル：φ５６ｍｍ
全体のレンズ長（ＬＡ）：１２０．８４ｍｍ
焦点距離（無限大）：１２０ｍｍ
倍率（近距離）：０．５
第２のレンズ群Ｇ２の移動距離（ＰＦ１）：８．２４ｍｍ
第４のレンズ群Ｇ４の移動距離（ＰＢ１）：４０．３９ｍｍ
条件（１）（ＰＢ１／ＰＦ１）：４．９０
条件（２）（ＰＦ１／ＡＬ）：０．０６８
条件（４）（ＰＢ１／ＡＬ）：０．３３４
【００３７】
上記に示すように、この光学系１０は、焦点距離が１２０ｍｍで近距離の倍率が０．５であり、望遠タイプのマクロレンズとしての性能を備えており、上述した条件（１）、（２）および（４）を満たす。また、第２のレンズ群Ｇ２の接合レンズＢ１は条件（３）を満たし、第４のレンズ群Ｇ４のレンズＬ４１は条件（５）を満たす。このため、全体を構成するレンズ枚数が１０枚という簡易な構成でありながら、望遠タイプのマクロレンズとしての性能を備え、さらに、図８に示すように、各撮影距離で各収差が良好に補正された光学系１０を提供できる。
【００３８】
実施例３
図９に、さらに異なる撮像用の光学系１０を備えたカメラ１の例を示している。この光学系１０も、実施例１の光学系（レンズシステム）と同様に望遠タイプのマクロレンズとしての性能を備えている。この光学系１０の基本的な構成は、図１に示した実施例１の光学系と共通であり、開口絞り（絞り）Ｓｔを挟んで物体側１１に正−正−負のパワーのレンズ群Ｇ１〜Ｇ３が配置され、像面側１２に正−正−負のパワーのレンズ群Ｇ４〜Ｇ６が配置されている。
【００３９】
この光学系１０においては、焦点距離調整のために、内部の正のレンズ群Ｇ２およびＧ４が動き、第５のレンズ群Ｇ５は移動しない。したがって、この光学系１０においては、第５のレンズ群Ｇ５は第６のレンズ群Ｇ６とともに、最も像面側１２に配置された移動しないレンズ群（第５のレンズ群）を構成し、そのレンズ群の合成焦点距離は、−１３０．３９ｍｍであり、負のパワーのレンズ群となる。このため、この光学系は、正−正−負−正−負の５群構成と捉えることも可能であり、最も物体側１１に配置された正のパワーの第１のレンズ群Ｇ１を除く、２つの正のパワーのレンズ群Ｇ２およびＧ４がフォーカシングの際に物体側１１へ同期して移動する。
【００４０】
したがって、この光学系１０は、インナーフォーカスタイプで全長ＬＡが一定の光学系１０であり、全体が１０枚構成という簡易な構成で、さらに、フォーカシング時に移動するレンズ群は２つに限定することができる。このため、コンパクトで軽量の望遠マクロレンズであって、焦点調整が容易であり、ＡＦの負荷をさらに低減できる光学系１０を提供できる。
【００４１】
図１０に光学系１０を構成する各レンズのデータを示している。図１１に、撮影距離が無限大、中間（２．０ｍ）および近距離（０．４３ｍ）のときの各間隔Ｔｈｉ２、Ｔｈｉ７、Ｔｈｉ１１、Ｔｈｉ１３の値と、光学系１０の諸数値とを示している。図１２（ａ）、（ｂ）および（ｃ）に、撮影距離が無限大、中間（２．０ｍ）および近距離（０．４３ｍ）における光学系１０の球面収差、非点収差、歪曲収差を示している。
【００４２】
この光学系１０の主な性能を示す数値は以下の通りである。
イメージサークル：φ５６ｍｍ
全体のレンズ長（ＬＡ）：１１４．１４ｍｍ
焦点距離（無限大）：１２０ｍｍ
倍率（近距離）：０．５
第２のレンズ群Ｇ２の移動距離（ＰＦ１）：１０．５２ｍｍ
第４のレンズ群Ｇ４の移動距離（ＰＢ１）：２９．３２ｍｍ
条件（１）（ＰＢ１／ＰＦ１）：２．７９
条件（２）（ＰＦ１／ＡＬ）：０．０９２
条件（４）（ＰＢ１／ＡＬ）：０．２５７
【００４３】
上記に示すように、この光学系１０は、焦点距離が１２０ｍｍで近距離の倍率が０．５であり、望遠タイプのマクロレンズとしての性能を備えており、上述した条件（１）、（２）および（４）を満たす。また、第２のレンズ群Ｇ２の接合レンズＢ１は条件（３）を満たし、第４のレンズ群Ｇ４のレンズＬ４１は条件（５）を満たす。このため、全体を構成するレンズ枚数が１０枚という簡易な構成でありながら、望遠タイプのマクロレンズとしての性能を備え、さらに、図１２に示すように、各撮影距離で各収差が良好に補正された光学系１０を提供できる。
【００４４】
実施例４
図１３に、さらに異なる撮像用の光学系１０を備えたカメラ１の例を示している。この光学系１０も、実施例１の光学系（レンズシステム）と同様に望遠タイプのマクロレンズとしての性能を備えている。この光学系１０の基本的な構成は、図１に示した実施例１の光学系と共通であり、開口絞り（絞り）Ｓｔを挟んで物体側１１に正−正−負のパワーのレンズ群Ｇ１〜Ｇ３が配置され、像面側１２に正−正−負のパワーのレンズ群Ｇ４〜Ｇ６が配置されている。
【００４５】
第１のレンズ群Ｇ１は、物体側１１に凸の正のメニスカスレンズＬ１１の１枚構成で、第２のレンズ群Ｇ２は、物体側１１から順に配置された、物体側１１に凸の正のメニスカスレンズＬ２１と物体側１１に凸の負のメニスカスレンズＬ２２とからなるバルサムレンズ（接合レンズ）Ｂ１と、物体側１１に凸の正のメニスカスレンズＬ２３の３枚構成で、接合レンズＢ１の像面側１２の凹面にメニスカスレンズＬ２の物体側１１の面が最小空気間隔で隣接している。第３のレンズ群Ｇ２は、物体側１１から順に配置された、像面側１２に凸の正のメニスカスレンズＬ３１と両凹の負レンズＬ３２とからなるバルサムレンズ（接合レンズ）Ｂ２の２枚構成である。
【００４６】
第４のレンズ群Ｇ４は、像面側１２に凸の正のメニスカスレンズＬ４１の１枚構成で、第５のレンズ群Ｇ５は、物体側１１から順に配置された、物体側１１に凸の正のメニスカスレンズＬ５１および物体側１１に凸の負のメニスカスレンズＬ５２とからなるバルサムレンズ（接合レンズ）Ｂ３の２枚構成である。また、第６のレンズ群Ｇ６は、物体側１１から順に配置された、両凹の負レンズＬ６１と両凸の正レンズＬ６２とからなるバルサムレンズ（接合レンズ）Ｂ４の２枚構成である。したがって、この光学系１０は、光軸１５に沿って配置された合計１１枚のレンズで構成されている。
【００４７】
この光学系１０においては、実施例３の光学系と同様に、焦点距離調整のために、内部の正のレンズ群Ｇ２およびＧ４が動き、第５のレンズ群Ｇ５は移動しない。したがって、この光学系１０においては、第５のレンズ群Ｇ５は第６のレンズ群Ｇ６とともに、最も像面側１２に配置された移動しないレンズ群（第５のレンズ群）を構成し、レンズＬ５１、Ｌ５２、Ｌ６１およびＬ６２を含む移動しないレンズ群の合成焦点距離は、−６５３．５１ｍｍであり、負のパワーのレンズ群となる。このため、この光学系１０も実施例３の光学系と同様に、正−正−負−正−負の５群構成と捉えることも可能であり、最も物体側１１に配置された正のパワーの第１のレンズ群Ｇ１を除く、２つの正のパワーのレンズ群Ｇ２およびＧ４がフォーカシングの際に物体側１１へ同期して移動する。
【００４８】
したがって、この光学系１０は、インナーフォーカスタイプで全長ＬＡが一定の光学系１０であり、全体が１１枚構成という簡易な構成で、さらに、フォーカシング時に移動するレンズ群は２つに限定することができる。このため、コンパクトで軽量の望遠マクロレンズであって、焦点調整が容易であり、ＡＦの負荷をさらに低減できる光学系１０を提供できる。
【００４９】
図１４に光学系１０を構成する各レンズのデータを示している。図１５に、撮影距離が無限大、中間（２．０ｍ）および近距離（０．４３ｍ）のときの各間隔Ｔｈｉ２、Ｔｈｉ７、Ｔｈｉ１１、Ｔｈｉ１３の値と、光学系１０の諸数値とを示している。図１６（ａ）、（ｂ）および（ｃ）に、撮影距離が無限大、中間（２．０ｍ）および近距離（０．４３ｍ）における光学系１０の球面収差、非点収差、歪曲収差を示している。
【００５０】
この光学系１０の主な性能を示す数値は以下の通りである。
イメージサークル：φ５６ｍｍ
全体のレンズ長（ＬＡ）：１１５．５９ｍｍ
焦点距離（無限大）：１２０ｍｍ
倍率（近距離）：０．５
第２のレンズ群Ｇ２の移動距離（ＰＦ１）：１３．６５ｍｍ
第４のレンズ群Ｇ４の移動距離（ＰＢ１）：３１．０１ｍｍ
条件（１）（ＰＢ１／ＰＦ１）：２．４１
条件（２）（ＰＦ１／ＡＬ）：０．１１８
条件（４）（ＰＢ１／ＡＬ）：０．２６８
【００５１】
上記に示すように、この光学系１０は、焦点距離が１２０ｍｍで近距離の倍率が０．５であり、望遠タイプのマクロレンズとしての性能を備えており、上述した条件（１）、（２）および（４）を満たす。また、第２のレンズ群Ｇ２の接合レンズＢ１は条件（３）を満たし、第４のレンズ群Ｇ４のレンズＬ４１は条件（５）を満たす。このため、全体を構成するレンズ枚数が１１枚という簡易な構成でありながら、望遠タイプのマクロレンズとしての性能を備えており、第６のレンズ群Ｇ６に接合レンズＢ４を配置することでさらに収差補正能力が向上し、図１６に示すように、各撮影距離で各収差が良好に補正された光学系１０を提供できる。
【００５２】
このように、上記において開示した光学系（レンズシステム）１０はいずれも撮像光学装置およびデジタル機器に関連し、風景や被写体を撮像素子に取り込むレンズ交換式デジタルカメラ、ビデオカメラ、ＴＶカメラ、アクションカメラなどに適した大口径でコンパクトな光学系１０である。特に、大型の撮像素子５に使用するイメージサークルの大きなレンズシステムとして適しており、１０枚または１１枚という簡易な構成でありながら、望遠タイプのマクロレンズとしての性能を備え、全長ＬＡが短く、かつ、広角で明るく、そして、良好に収差補正がされた光学系１０を提供できる。
【図１】
0006635540.tif 000002
【図２】
0006635540.tif 000003
【図３】
0006635540.tif 000004
【図４】
0006635540.tif 000005
【図５】
0006635540.tif 000006
【図６】
0006635540.tif 000007
【図７】
0006635540.tif 000008
【図８】
0006635540.tif 000009
【図９】
0006635540.tif 000010
【図１０】
0006635540.tif 000011
【図１１】
0006635540.tif 000012
【図１２】
0006635540.tif 000013
【図１３】
0006635540.tif 000014
【図１４】
0006635540.tif 000015
【図１５】
0006635540.tif 000016
【図１６】
0006635540.tif 000017